(57)【要約】【課題】インターネットを利用して不特定多数のユーザに対してアンケート調査を行う場合、従来のモニタ方式によるアンケート調査では、回答者の集合に偏りができ、また、アンケート調査のコストが高くなる傾向がある。【解決手段】インターネットを利用して不特定多数のユーザに対してアンケート調査を行う方法として、サイト運営者が運営するサイトにアクセスしたサイト訪問者に対しアンケート調査を実施するための技術を提供する。本発明によるアンケート調査では、報酬目当てのユーザのみからだけでなく、広くインターネットを利用するユーザから、回答を得ることができる。また、報酬目当てのユーザに回答を頼らないことにより、アンケート調査コストを低くすることができる。【選択図】図２
2012022604.tif 000002
【特許請求の範囲】
【請求項１】
ネットワークを介してアンケート調査を行うアンケート調査方法であって、
サイト運営者を登録するステップと、
登録されたサイト運営者に対し、アンケート調査を起動するためのコードを発行するステップと、
サイト運営者が、運営するサイトに、アンケート調査を起動するためのコードを埋め込むステップと、
サイトにアクセスしたサイト訪問者の端末が、アンケート調査を起動するためのコードを実行するステップと、
アンケート調査を起動するためのコードを実行したサイト訪問者の端末上で、適切なアンケート調査を実施するステップと、
サイト訪問者の回答操作によりサイト訪問者の端末から送信された回答を集計するステップと、
サイト運営者ごとに、サイト運営者のサイトを経由したアンケート調査の回答数を記録するステップ
を備えることを特徴とするアンケート調査方法。
【請求項２】
ネットワークを介してアンケート調査を行うアンケート調査方法であって、
サイト運営者を登録するステップと、
登録されたサイト運営者に対し、アンケート調査を起動するためのコードを発行するステップと、
サイト運営者が、運営するサイトに、アンケート調査を起動するためのコードを埋め込むステップと、
サイトにアクセスしたサイト訪問者がサイト上で何らかの操作を行ったときに、それに連動してサイト訪問者の端末がアンケート調査を起動するためのコードを実行するステップと、
アンケート調査を起動するためのコードを実行したサイト訪問者の端末上で、適切なアンケート調査を実施するステップと、
サイト訪問者の回答操作によりサイト訪問者の端末から送信された回答を集計するステップと、
サイト運営者ごとに、サイト運営者のサイトを経由したアンケート調査の回答数を記録するステップ
を備えることを特徴とするアンケート調査方法。
【請求項３】
ネットワークを介してアンケート調査を行うアンケート調査装置であって、
サイト運営者を登録する手段と、
登録されたサイト運営者に対し、アンケート調査を起動するためのコードを発行する手段と、
アンケート調査を起動するためのコードを実行したサイト訪問者の端末上で、適切なアンケート調査を実施する手段と、
サイト訪問者の回答操作によりサイト訪問者の端末から送信された回答を集計する手段と、
サイト運営者ごとに、サイト運営者のサイトを経由したアンケート調査の回答数を記録する手段
を備えることを特徴とするアンケート調査装置。
【請求項４】
サイト運営者を登録する手段と、
登録されたサイト運営者に対し、アンケート調査を起動するためのコードを発行する手段と、
アンケート調査を起動するためのコードを実行したサイト訪問者の端末上で、適切なアンケート調査を実施する手段と、
サイト訪問者の回答操作によりサイト訪問者の端末から送信された回答を集計する手段と、
サイト運営者ごとに、サイト運営者のサイトを経由したアンケート調査の回答数を記録する手段
を実現させるためのプログラム。
【請求項５】
ネットワークを介してアンケート調査を行うアンケート調査方法であって、
サイト運営者が運営するサイトにアクセスしたサイト訪問者に対し、アンケート調査への回答を依頼するステップと、
一定の条件を満たすまで、サイトのコンテンツを半透明にして、サイトを操作できないようにするステップ
を備えることを特徴とするアンケート調査方法。
【請求項６】
ネットワークを介してアンケート調査を行うアンケート調査方法であって、
回答者のアンケート調査への回答に要した時間を記録するステップと、
回答者のアンケート調査への回答の完了後に、アンケート調査への回答に要した時間が一定時間以下の場合に、アンケート調査に含まれる質問の中から数問の質問を選び、質問の選択肢を並び替えて質問をもう一度行い、回答者が回答した内容をもう一度回答することができるかを確認するステップ
を備えることを特徴とするアンケート調査方法。
【発明の詳細な説明】
【技術分野】
【０００１】
本発明は、インターネットを利用して、不特定多数のユーザに対してアンケート調査を行う方法、及びそれを実現する装置並びにプログラムに関する。
【背景技術】
【０００２】
近年、インターネットの普及により、市場調査や世論調査などのアンケート調査を効率良く行えるようになった。
【０００３】
例えば、特許文献１には、アンケート用紙を電子的に作成すること、及び作成した電子的アンケート用紙をネットワーク経由で配布すること、及びアンケートの各回答に属性やＩＤを付加することにより集計を容易することに特徴がある電子式アンケート処理装置について開示されている。
【０００４】
また、アンケート調査を専業で行っている業者にアンケート調査を委託することで、多くのユーザを対象としたアンケート調査を簡単に行うことができる。
【０００５】
アンケート調査を行う業者は、予め多数のユーザにモニタとして登録してもらい、モニタに対してアンケート調査の回答を依頼する。モニタは、アンケート調査に回答すると、報酬を受け取ることができる。
【０００６】
この方式のアンケート調査に関連する発明として、アクセスログ（特許文献２）、ユーザの購買履歴（特許文献３）、ユーザの検索ログ（特許文献４）などによってモニタを抽出する発明が開示されている。
【先行技術文献】
【特許文献】
【０００７】
【特許文献１】特開平４−２８８６６４号公報
【特許文献２】特開２００３−２７１７７８号公報
【特許文献３】特開２００６−０１８３４０号公報
【特許文献４】特開２０１０−１０８１１９号公報
【発明の概要】
【発明が解決しようとする課題】
【０００８】
従来のインターネットを利用したアンケート調査では、報酬目当ての回答者が集まり、回答者の集合に偏りができてしまうという問題がある。
【０００９】
また、モニタを維持し、回答者に報酬を与えるという仕組み上、アンケート調査のコストが高くなる傾向がある。多くの場合、アンケート調査にかかるコストは、１回答あたり数百円〜千円程度となる。
【課題を解決するための手段】
【００１０】
本発明は、インターネットを利用して不特定多数のユーザに対してアンケート調査を行う方法として、サイト運営者が運営するサイトにアクセスしたサイト訪問者に対しアンケート調査を実施するための技術を提供する。
【００１１】
なお、ここでサイト運営者が運営するサイトには、ユーザが自分で作成したホームページだけでなく、ブログホスティングサービスから与えられたブログや、また、ソーシャルネットワークサービスにおけるプロフィール画面など、ユーザによって一部カスタマイズ可能なＷｅｂページを含むものとする。
【００１２】
請求項１に記載の発明は、
ネットワークを介してアンケート調査を行うアンケート調査方法であって、
サイト運営者を登録するステップと、
登録されたサイト運営者に対し、アンケート調査を起動するためのコードを発行するステップと、
サイト運営者が、運営するサイトに、アンケート調査を起動するためのコードを埋め込むステップと、
サイトにアクセスしたサイト訪問者の端末が、アンケート調査を起動するためのコードを実行するステップと、
アンケート調査を起動するためのコードを実行したサイト訪問者の端末上で、適切なアンケート調査を実施するステップと、
サイト訪問者の回答操作によりサイト訪問者の端末から送信された回答を集計するステップと、
サイト運営者ごとに、サイト運営者のサイトを経由したアンケート調査の回答数を記録するステップ
を備えることを特徴とする。
【００１３】
請求項１に記載の発明により、報酬目当てのユーザからではなく、広くインターネットを利用するユーザから、アンケート調査の回答を得ることができる。また、サイト運営者ごとのサイトを経由したアンケート調査の回答数を記録することで、サイト運営者に対し適切な報酬を支払うことができる。
【００１４】
請求項２に記載の発明は、アンケート調査を行うタイミングを、サイト訪問者のサイト上の操作に連動させる技術である。
【００１５】
請求項２に記載の発明は、
ネットワークを介してアンケート調査を行うアンケート調査方法であって、
サイト運営者を登録するステップと、
登録されたサイト運営者に対し、アンケート調査を起動するためのコードを発行するステップと、
サイト運営者が、運営するサイトに、アンケート調査を起動するためのコードを埋め込むステップと、
サイトにアクセスしたサイト訪問者がサイト上で何らかの操作を行ったときに、それに連動してサイト訪問者の端末がアンケート調査を起動するためのコードを実行するステップと、
アンケート調査を起動するためのコードを実行したサイト訪問者の端末上で、適切なアンケート調査を実施するステップと、
サイト訪問者の回答操作によりサイト訪問者の端末から送信された回答を集計するステップと、
サイト運営者ごとに、サイト運営者のサイトを経由したアンケート調査の回答数を記録するステップ
を備えることを特徴とする。
【００１６】
請求項３に記載の発明は、請求項１に記載の発明を実現する装置である。
【００１７】
請求項３に記載の発明は、
ネットワークを介してアンケート調査を行うアンケート調査装置であって、
サイト運営者を登録する手段と、
登録されたサイト運営者に対し、アンケート調査を起動するためのコードを発行する手段と、
アンケート調査を起動するためのコードを実行したサイト訪問者の端末上で、適切なアンケート調査を実施する手段と、
サイト訪問者の回答操作によりサイト訪問者の端末から送信された回答を集計する手段と、
サイト運営者ごとに、サイト運営者のサイトを経由したアンケート調査の回答数を記録する手段
を備えることを特徴とする。
【００１８】
請求項４に記載の発明は、請求項１に記載の発明を実現するプログラムである。
【００１９】
請求項４に記載の発明は、
サイト運営者を登録する手段と、
登録されたサイト運営者に対し、アンケート調査を起動するためのコードを発行する手段と、
アンケート調査を起動するためのコードを実行したサイト訪問者の端末上で、適切なアンケート調査を実施する手段と、
サイト訪問者の回答操作によりサイト訪問者の端末から送信された回答を集計する手段と、
サイト運営者ごとに、サイト運営者のサイトを経由したアンケート調査の回答数を記録する手段
を実現させるためのプログラムである。
【００２０】
本発明におけるアンケート調査を効果的に行うためには、アンケート調査の回答率を高めること、また、アンケート調査の回答の信頼性を高めることが特に重要となる。本発明では、このための以下の技術を提供する。
【００２１】
請求項５に記載の発明は、サイト訪問者のサイトからの離脱を防止しつつアンケート調査の回答率を高めるものである。
【００２２】
請求項５に記載の発明は、
ネットワークを介してアンケート調査を行うアンケート調査方法であって、
サイト運営者が運営するサイトにアクセスしたサイト訪問者に対し、アンケート調査への回答を依頼するステップと、
サイトのコンテンツを半透明にして、一定の条件を満たすまでサイトを操作できないようにするステップ
を備えることを特徴とする。
【００２３】
請求項６に記載の発明は、アンケート調査の回答の信頼性を高めるものである。
【００２４】
請求項６に記載の発明は、
ネットワークを介してアンケート調査を行うアンケート調査方法であって、
回答者のアンケート調査への回答に要した時間を記録するステップと、
回答者のアンケート調査への回答の完了後に、アンケート調査への回答に要した時間が一定時間以下の場合に、アンケート調査に含まれる質問の中から数問の質問を選び、質問の選択肢を並び替えて質問をもう一度行い、回答者が回答した内容をもう一度回答することができるかを確認するステップ
を備えることを特徴とする。
【発明の効果】
【００２５】
本発明によるアンケート調査では、報酬目当てのユーザのみからだけでなく、広くインターネットを利用するユーザから、回答を得ることができる。
【００２６】
また、報酬目当てのユーザに回答を頼らないことにより、アンケート調査コストを低くすることができる。本発明の典型的な実現例におけるアンケート調査のコストは、１回答あたり数十円〜数百円程度となる。
【発明を実施するための最良の形態】
【００２７】
以下、図面を参照しながら本発明の実施の形態について説明する。
【００２８】
本実施の形態においては、第三者からの委託を受けてアンケート調査を実施する「アンケート調査実施サービス」について説明する。
【００２９】
図１は、アンケート調査を依頼する「調査依頼者」、調査依頼者からの委託を受けてアンケート調査を実施する「調査実施サービス」、調査実施サービスに登録してアンケート調査の実施を仲介する「サイト運営者」、サイト運営者のサイトにアクセスする「サイト訪問者」の関係を示す概略図である。
【００３０】
調査実施サービス２は、１台もしくは複数台のサーバにより実現される。図２は、調査実施サービス２のソフトウェア構成を示すブロック図である。
【００３１】
調査依頼者１１〜１ｌは、調査実施サービス２の調査依頼者登録機能２１を利用して、登録を行う。調査実施サービス２は、調査依頼者１１〜１ｌの情報を調査依頼者情報格納部２ａに格納する。
【００３２】
次に、調査依頼者１１〜１ｌは、調査実施サービス２のアンケート調査作成機能２２を利用して、アンケート調査を作成する。調査実施サービス２は、アンケート調査の内容をアンケート調査格納部２ｂに格納する。
【００３３】
なお、ここでは調査依頼者１１〜１ｌがアンケート調査を作成するとしているが、調査依頼者１１〜１ｌが調査実施サービス２の運用担当者に連絡してアンケート調査の作成を依頼するという実施例も考えられる。
【００３４】
一方、サイト運営者３１〜３ｍは、調査実施サービス２のサイト運営者登録機能２４を利用して、登録を行う。調査実施サービス２は、サイト運営者３１〜３ｍの情報をサイト運営者格納部２ｄに格納する。登録を行うと、サイト運営者３１〜３ｍは、サイト４１〜４ｍ上でアンケート調査を実施するためのアンケート調査起動コードを取得することができる。
【００３５】
次に、サイト運営者３１〜３ｍは、サイト４１〜４ｍのＷｅｂページのソースコードに、アンケート調査起動コードを埋め込む。ここで、アンケート調査起動コードは、調査実施サービス２のサーバ上にあるアンケート調査取得スクリプト２６を、サイト運営者３１〜３ｍのＩＤ情報をパラメータとして渡して実行する文として実現される。図３は、サイト４１〜４ｍのＷｅｂページのソースコードに、アンケート調査起動コードを埋め込む様子を例示する図である。
【００３６】
サイト訪問者５１〜５ｎがＷｅｂブラウザ６１〜６ｎでサイト４１〜４ｍにアクセスすると、サイト４１〜４ｍのコンテンツが表示される。同時に、調査起動コードが読み込まれ、調査実施サービス２のサーバ上にあるアンケート調査取得スクリプト２６が実行される。
【００３７】
アンケート調査取得スクリプト２６が実行されると、調査実施サービス２は、アンケート調査選定機能２８により、アンケート調査格納部２ｂに格納されているアンケート調査を一つ選び、サイト訪問者のＷｅｂブラウザ６１〜６ｎに返す。
【００３８】
アンケート調査を受け取ると、サイト訪問者のＷｅｂブラウザ６１〜６ｎは、サイト４１〜４ｍのコンテンツの表示を半透明にし、操作を不可能な状態にする。さらに、Ｗｅｂブラウザ６１〜６ｎは、画面の最前面に、アンケート調査への回答を促すダイアログ（以下、調査依頼ダイアログと呼ぶ）を表示する。図４は、このときの画面を例示する図である。また、図５は  サイト訪問者５１〜５ｎがＷｅｂブラウザ６１〜６ｎでサイト４１〜４ｍにアクセスしたときの処理手順を示すフローチャート図である。
【００３９】
なお、上述の実現例では、サイト訪問者５１〜５ｎがＷｅｂブラウザ６１〜６ｎでサイト４１〜４ｍにアクセスしたときに調査依頼ダイアログが表示されるとしているが、請求項２に記載されている発明のように、サイト訪問者５１〜５ｎがサイト４１〜４ｍ上で何らかの操作を行ったときに、調査依頼ダイアログが表示されるようにすることができる。このような設定を行うためには、サイト運営者３１〜３ｍがスクリプトを記述し、適切なタイミングでアンケート調査起動コードが読み込まれるようにすれば良い。
【００４０】
サイト訪問者５１〜５ｎが、調査依頼ダイアログの調査を開くボタンを押すと、アンケート調査画面が開く。サイト訪問者５１〜５ｎは、この画面を通して、アンケート調査の回答を行う。図６は、アンケート調査画面を例示する図である。
【００４１】
サイト訪問者５１〜５ｎは、一定の条件を満たすとアンケート調査をスキップすることができる。アンケート調査をスキップする条件として、例えば、以下のようなものが考えられる。
【００４２】
（１）サイト訪問者５１〜５ｎは、いつでもアンケート調査をスキップできる。すなわち、サイト訪問者は、いつでも調査依頼ダイアログを閉じることができる。
（２）サイト訪問者５１〜５ｎは、アンケート調査画面を開くことで、アンケート調査に回答するかどうかに関わりなく、調査依頼ダイアログを閉じることができるようになる。
（３）サイト訪問者５１〜５ｎは、調査依頼ダイアログが表示されて一定時間たった後に、調査依頼ダイアログを閉じることができるようになる。調査依頼ダイアログには、調査依頼ダイアログを閉じることができるようになるまでの時間が表示される。図７は、このときの調査依頼ダイアログの画面を例示する図である。
（４）サイト訪問者５１〜５ｎは、アンケート調査をスキップできない。すなわち、サイト訪問者５１〜５ｎは、調査依頼ダイアログを自分で閉じることができない。調査依頼ダイアログは、サイト訪問者５１〜５ｎがアンケート調査に回答すると自動的に閉じられる。
【００４３】
上記の設定は、サイト運営者３１〜３ｍが、「サイト４１〜４ｍの利便性を重視するか」もしくは「報酬額（すなわち、調査への回答数）を重視するか」に応じて、設定できるようにすることが望ましい。
【００４４】
サイト訪問者５１〜５ｎがアンケート調査に回答を行うと、その回答に要した時間によっては、最後に確認質問画面が表示される。
【００４５】
確認質問画面では、これまで答えてきた質問の中から３問程度の質問が選ばれて表示される。サイト訪問者５１〜５ｎは、この画面上で、これまでに答えてきた質問と同一の回答をした場合のみ、回答の完了に進むことができる。
【００４６】
ただし、確認質問画面の質問は、選択肢の順番がランダムに表示されるため、以前の質問でデタラメの回答をしてきている場合、ほとんどの場合、この確認を突破することができず、回答完了に進むことができない。図８は、回答処理の手順を示すフローチャート図である。
【００４７】
サイト訪問者５１〜５ｎがアンケート調査への回答を行うか、もしくは、アンケート調査をスキップすると、サイト訪問者５１〜５ｎのＷｅｂブラウザ６１〜６ｎ上では、調査依頼ダイアログは閉じられ、半透明で操作不能になっていたサイト４１〜４ｍが操作できるようになる。
【００４８】
サイト訪問者５１〜５ｎがアンケート調査への回答を行うと、調査実施サービス２の回答回収機能２７により、調査の回答が回収される。調査実施サービス２は、回収した回答を、回答格納部２ｆに格納する。また、このとき、調査実施サービス２は、サイト運営者報酬格納部２ｅを更新し、サイト運営者に対する報酬額を増額する。
【００４９】
アンケート調査の回答が募集数に達すると、調査実施サービス２は、回答集計機能２９によって、アンケート調査結果を集計し、結果を結果格納部２ｃに格納する。
【００５０】
調査依頼者１１〜１ｌは、調査実施サービス２のアンケート調査結果機能２３を利用して、アンケート調査の結果を受け取る。調査実施サービス２は、結果格納部２ｃを調べ、調査依頼者１１〜１ｌにアンケート調査の結果を返す。また、このとき、調査依頼者１１〜１ｌは、回答数に応じたアンケート調査の報酬を支払う。
【００５１】
サイト運営者３１〜３ｍは、調査実施サービス２の報酬機能２５を利用して、現在の報酬額を調べることができる。調査実施サービス２は、サイト運営者報酬格納部２ｅを調べ、サイト運営者３１〜３ｍにそれを通知する。
【００５２】
サイト運営者３１〜３ｍは、調査実施サービス２の報酬機能２５を利用して、報酬額を受け取ることができる。調査実施サービス２は、サイト運営者報酬格納部２ｅを調べ、サイト運営者３１〜３ｍに報酬額を支払う。同時に、サイト運営者報酬格納部２ｅを更新し、サイト運営者３１〜３ｍに対する報酬額を減額する。
【図面の簡単な説明】
【００５３】
【図１】本実施形態に係るサービスとサービスの利用者について示す概略図
【図２】調査実施サービスのソフトウェア構成を示すブロック図
【図３】サイトのＷｅｂページのソースコードに、調査起動コードを埋め込む様子を例示する説明図
【図４】サイト訪問者のＷｅｂブラウザ上で調査依頼ダイアログが表示されたときの画面を例示する説明図
【図５】サイト訪問者がＷｅｂブラウザでサイトにアクセスしたときの処理手順を示すフローチャート図
【図６】アンケート調査画面を例示する説明図
【図７】一定時間後に閉じることができるようになる調査依頼ダイアログの画面を例示する説明図
【図８】アンケート調査の回答と確認の処理手順を示すフローチャート図
【図１】
2012022604.tif 000003
【図２】
2012022604.tif 000004
【図３】
2012022604.tif 000005
【図４】
2012022604.tif 000006
【図５】
2012022604.tif 000007
【図６】
2012022604.tif 000008
【図７】
2012022604.tif 000009
【図８】
2012022604.tif 000010